(57)【要約】      （修正有）【課題】脚部用マッサージ器を提供する。【解決手段】底板１１と、２つの側板１２と、背板１３とを連結して、内部に収容空間１４を形成し、側板の内面に設けたガイドレール１５の入口端と出口端箇所にプーリー１６を枢支し、収容空間の中央に、運行通路１７１を有する凸座１７を設け、底板の上方に、凸座の両側に足踏部１８を設けた本体１０と、凸座の運行通路中に配置嵌合された駆動機２１を有し、駆動機の動力軸２２は、結合段２２１で凸座の両側に向けて延出し、延出した結合段２２１上に相対する碗状の２つのマッサージ部材２３を固設して、マッサージ部材の間にマッサージブロック２４を挟設し、結合段の側端に回転リング２５を結合したマッサージモジュール２０と、本体の凸座内に取り付けたモーター３１を伝動軸３２に連結し、伝動軸は凸座の両側から延出し、伝動軸の側端に２つの巻回リング３３が固設された駆動装置３０とを備えた構成とする。【選択図】図２
2017012718.tif 000002
【特許請求の範囲】
【請求項１】
本体と、マッサージモジュールと、駆動装置とを備える脚部用マッサージ器であって、
前記本体は、互いに連結された１つの底板と、２つの側板と、１つの背板とを有し、当該底板と、当該側板と、当該背板の囲繞により、前記本体の内部に収容空間が形成され、かつ前記収容空間の上方と前方は、それぞれ開口を利用して外向きに貫通しており、前記２つの側板の内面にそれぞれガイドレールが設けられ、前記２つのガイドレールの入口端と出口端箇所にいずれもプーリーが枢支され、また前記収容空間の中央に、当該底板と当該背板との間に連接され、かつ運行通路を有する凸座が設けられ、前記凸座の設置により、前記収容空間を左、右両部分に区画し、当該底板の上方には、前記凸座の両側にそれぞれ足踏部が設けられ、及び前記２つの足踏部の中央にいずれも退避通路が開設され、
前記マッサージモジュールは、駆動機を有し、前記駆動機は、前記凸座の運行通路中に配置嵌合され、前記駆動機の動力軸は、それぞれ１つの結合段で前記凸座の両側に向けて延出し、延出した前記２つの結合段上にいずれも相対する碗状の２つのマッサージ部材が固設され、前記２つのマッサージ部材の間にマッサージブロックが挟設され、前記２つの結合段の側端にいずれも回転リングが結合され、当該回転リングが前記本体の当該ガイドレールに符合することにより、前記駆動装置の運転に合わせて動力軸に対して牽引が生じ、前記マッサージモジュールは、当該ガイドレールにより画定された範囲内に往復運行され、
前記駆動装置は、前記凸座内に取り付けられたモーターを有し、前記モーターが伝動軸に連結されることで、前記モーターの動力を前記伝動軸に対して伝達して、前記伝動軸は前記凸座の両側から延出し、これにより、前記凸座の両側から延出した前記伝動軸の側端にそれぞれ２つの巻回リングが固設され、前記２つの巻回リングを逆方向設置し、前記２つの巻回リング上の巻回紐がそれぞれ同一側の上、下２つの前記プーリーに繞設されてから、当該ガイドレールの入口端と出口端から当該ガイドレールの内部に通され、前記２つの巻回紐が共同に当該ガイドレール内に延在する当該結合段の側端に嵌通され、これにより、当該巻回紐の締緩操作の間で、前記マッサージモジュールを確実に連動して運行することを特徴とする脚部用マッサージ器。
【請求項２】
前記本体の当該底板上に内部に軸受が嵌着された２つの軸受座が設けられ、前記２つの軸受座は、それぞれ前記２つの側板と前記凸座との間に設けられることにより、前記凸座の外部まで延出する伝動軸は、予め前記２つの軸受座を通過してから、側端に当該巻回リングが固設されることを特徴とする請求項１に記載の脚部用マッサージ器。
【請求項３】
前記本体と前記マッサージモジュールの前記駆動機との間に弾性引紐が合わせて使用され、前記本体の運行通路の下方に軸棒が水平に設けられ、前記弾性引紐の一端が背板上の運行通路に相対して適当な高さ箇所に固定され、他端が前記軸棒を繞設してから、前記駆動機に連結されることを特徴とする請求項１に記載の脚部用マッサージ器。
【請求項４】
前記本体の当該側板と、当該ガイドレールと、前記凸座とは、両脚の曲線に対応して後部から前部に向かって徐々に低くなる弧線状に設けられることを特徴とする請求項１に記載の脚部用マッサージ器。
【請求項５】
少なくとも１つの当該ガイドレールの入口端と出口端上には、リミットスイッチが設けられることにより、前記リミットスイッチの感応を利用して前記モーターを反転するように制御することを特徴とする請求項１に記載の脚部用マッサージ器。
【請求項６】
同一側の前記２つの巻回紐は、予め回転環に連結されてから、前記回転環を利用して前記動力軸の当該結合段上に嵌通されることを特徴とする請求項１に記載の脚部用マッサージ器。
【請求項７】
当該マッサージ部材上に複数のマッサージ突起が広く分布されることを特徴とする請求項１に記載の脚部用マッサージ器。
【請求項８】
当該マッサージ部材を特定の角度傾斜を付けさせて前記動力軸の当該結合段上に固設することを特徴とする請求項１に記載の脚部用マッサージ器。
【請求項９】
前記駆動機は、減速機と、電動機とから構成されることを特徴とする請求項１に記載の脚部用マッサージ器。
【請求項１０】
前記２つのマッサージ部材の間に十字交差する前記マッサージブロックが挟設されることを特徴とする請求項１に記載の脚部用マッサージ器。
【発明の詳細な説明】
【技術分野】
【０００１】
本発明は、脚部用マッサージ器に関するものであり、更に詳しくは、両脚の各部位までの運行を可能にし、隅々までマッサージすることができる脚部用マッサージ器に関するものである。
【背景技術】
【０００２】
伝統的なマッサージ装置が身体の特定の部位しかマッサージできないことによる弊害に鑑みて、遂に変位作動可能なダブル揺動マッサージ部品を有するマッサージ機構が研究開発された。その構造形態は、図１１、図１２に示すように、位置制限枠５０と、マッサージモジュール６０とを備え、位置制限枠５０の一端に、開放部５１を有してなり、マッサージ機構の使用者の両脚が位置制限枠５０の開放部５１から伸びるようにし、他端とその両側辺が上向きに湾曲され、これにより、それぞれ当止縁５２とスライドレール５３になる。また２つのスライドレール５３の内側にそれぞれ軌条５４が設けられ、前記軌条５４がスライドレール５３の中心より低くなり、位置制限枠５０の上方の表面中央において２つに分岐して略突起する凸縁５５を利用して、位置制限枠５０の開放部５１にスライド溝５６が形成される。マッサージモジュール６０は、駆動機６１を有し、駆動機６１内に両側に向けて延出して欠辺を有するスピンドル６２が貫通され、スピンドル６２の２つの延伸段上にいずれもマッサージ部品６３が固設される。前記２つのマッサージ部品６３は、いずれもそれぞれ２つの偏心によって分岐されて互いに対称するスイングアーム６３１の対向する内側の間に、マッサージリング６３２が設けられてなり、これらのマッサージリング６３２は、それぞれスイングアーム６３１の前位置、後位置に設けられる。また駆動機６１の底端により小さな凸ブロック６１１が設けられ、スピンドル６２の両側端上にいずれも内側から外側に順次にローラー６４と、軸受６５とが結合される。前記ローラー６４と、軸受６５と、マッサージ部品６３とは、いずれもスピンドル６２の欠辺上に固設され、スピンドル６２により連動される。
【０００３】
これにより、マッサージモジュール６０は、凸ブロック６１１を利用して、位置制限枠５０のスライド溝５６に符合し、ローラー６４が軌条５４上に当接され、及び軸受６５がスライドレール５３に摺動自在に係合し、マッサージモジュール６０全体を、位置制限枠５０の開放部５１から入り込ませ、かつマッサージモジュール６０の入り込み時、その軸受６５の上周縁面とローラー６４の下周縁面は、それぞれスライドレール５３の上面と軌条５４上に密着するため、高低差による位置ずれを利用して、制動作用が得られ、マッサージモジュール６０を入り込ませた後、それから駆動器６１から引っ張り出した電源コードが位置制限枠５０に互いに接続される。こうして、駆動機６１の作動時、スピンドル６２により、マッサージ部品６３及びローラー６４が連動され、マッサージモジュール６０は、変位しながら、脚部の複数個の部位に対するマッサージを行うことができる。
【０００４】
しかし、上述した従来構造は、なお、実際の使用時において下記の問題点が依然として存在する。
【０００５】
１．従来構造は、ローラー６４と軌条５４との当接だけが頼りとなり、ローラー６４と軌条５４との間の摩擦抵抗力のみでマッサージモジュール６０を変位するように連動するので、動力を確実に伝達できないおそれがあり、ローラー６４は、マッサージモジュール６０と一緒に容易に原位置に生じるスリップで停滞したままになってしまう場合がある。
【０００６】
２．従来構造は、マッサージモジュール６０の変位では、特定の部位に対するマッサージが達成できず、足底に対してもリラクゼーション・マッサージを行うことができず、使用の機能性ついては依然として改良する必要性が存在する。
【０００７】
３．従来構造は、スイングアーム６３１の同一角度の揺動を利用して、マッサージリング６３２が人体に対して感触を与え、両脚の各部位の粗細程度の相違について、異なる挟圧強さが生じることができないので、マッサージ部品６３が容易に上腿部に過度な緊締が生じることにより、使用者に痛みを与えてしまうという問題がある。
【発明の概要】
【発明が解決しようとする課題】
【０００８】
従って、本発明の主要な課題は、マッサージモジュールがスリップし停滞したままになることが防止され、動力を確実に伝達することができ、両脚の各部位に対するマッサージ可能な脚部用マッサージ器を提供することにある。
【０００９】
本発明の副次的な課題は、両脚に生じるマッサージできない死角を回避することができる脚部用マッサージ器を提供することにある。
【００１０】
本発明の別の課題は、特定の部位のマッサージが達成され、その使用の機能性が優れ、これにより、使用者により選択可能な多種類の変化させたマッサージモードが提供される脚部用マッサージ器を提供することにある。
【００１１】
本発明のさらに別の課題は、マッサージ部材の過度な緊締により、使用者に痛みを与えるか、またはマッサージの快適度と効果が半減するおそれを回避できる脚部用マッサージ器を提供することにある。
【課題を解決するための手段】
【００１２】
そこで、本発明者は、前記の本発明の課題を解決するため鋭意検討を重ねた結果、前記の主要な課題に関しては、２つの巻回リングの逆方向設置を利用することにより、巻回紐の一方を締め、または他方を緩める形態により、マッサージモジュールに対して引いたり離したりすることにより達成できることに着目し、また前記の副次的な課題に対しては、上腿部、下腿部に対するマッサージのほかに、さらに足底と足裏に対するリラクゼーションマッサージを行うことにより達成できることに着目し、前記の別の課題に対しては、駆動装置が独立した設計であることを利用し、マッサージモジュールがある位置まで進行した時、モーターが停止する構造とすることにより達成することができ、前記のさらに別の課題に対しては、マッサージ施療時にはマッサージ部材が上腿部または下腿部に丁度密着するように調整することにより達成できることに着目したものである。
【００１３】
かくして、請求項１に係る発明によれば、本体と、マッサージモジュールと、駆動装置とを備える脚部用マッサージ器であって、
前記本体は、互いに連結された１つの底板と、２つの側板と、１つの背板とを有し、当該底板と、当該側板と、当該背板の囲繞により、前記本体の内部に収容空間が形成され、かつ前記収容空間の上方と前方は、それぞれ開口を利用して外向きに貫通しており、前記２つの側板の内面にそれぞれガイドレールが設けられ、及び前記２つのガイドレールの入口端と出口端箇所にいずれもプーリーが枢支され、また前記収容空間の中央に、当該底板と当該背板との間に連接され、かつ運行通路を有する凸座が設けられ、前記凸座の設置により、前記収容空間を左、右両部分に区画し、当該底板の上方には、前記凸座の両側にそれぞれ足踏部が設けられ、及び前記２つの足踏部の中央にいずれも退避通路が開設され、
前記マッサージモジュールは、駆動機を有し、前記駆動機は、前記凸座の運行通路中に配置嵌合され、前記駆基の動力軸は、それぞれ１つの結合段で前記凸座の両側に向けて延出し、延出した前記２つの結合段上にいずれも相対する碗状の２つのマッサージ部材が固設され、前記２つのマッサージ部材の間にマッサージブロックが挟設され、前記２つの結合段の側端にいずれも回転リングが結合され、当該回転リングが前記本体の当該ガイドレールに符合することにより、前記駆動装置の運転に合わせて動力軸に対して牽引が生じ、前記マッサージモジュールは、当該ガイドレールにより画定された範囲内に往復運行され、
前記駆動装置は、前記凸座内に取り付けられたモーターを有し、前記モーターが伝動軸に連結されることで、前記モーターの動力を前記伝動軸に対して伝達して、前記伝動軸は前記凸座の両側から延出し、これにより、前記凸座の両側から延出した前記伝動軸の側端にそれぞれ２つの巻回リングが固設され、また前記２つの巻回リングを逆方向設置し、前記２つの巻回リング上の巻回紐がそれぞれ同一側の上、下２つの前記プーリーに繞設されてから、当該ガイドレールの入口端と出口端から当該ガイドレールの内部に通され、前記２つの巻回紐が共同に当該ガイドレール内に延在する当該結合段の側端に嵌通され、これにより、当該巻回紐の締め緩め操作の間で、前記マッサージモジュールを確実に連動して運行することを特徴とする脚部用マッサージ器が提供される。
【００１４】
請求項２に係る発明によれば、前記本体の当該底板上に内部に軸受が嵌着された２つの軸受座が設けられ、前記２つの軸受座は、それぞれ前記２つの側板と前記凸座との間に設けられることで、前記凸座の外部まで延出する伝動軸は、予め前記２つの軸受座を通過してから、側端に当該巻回リングが固設されることを特徴とする、請求項１に記載の脚部用マッサージ器が提供される。
【００１５】
請求項３に係る発明によれば、前記本体と前記マッサージモジュールの前記駆動器との間に弾性引紐が合わせて使用され、前記本体の運行通路の下方に軸棒が水平に設けられ、前記弾性引紐の一端が背板上の運行通路に相対して適当な高さ箇所に固定され、他端が前記軸棒を繞設してから、前記駆動器に連結されることを特徴とする、請求項１に記載の脚部用マッサージ器が提供される。
【００１６】
請求項４に係る発明によれば、前記本体の当該側板と、当該ガイドレールと、前記凸座とは、両脚の曲線に対応して後ろから前に向かって徐々に低くなる弧線状に設けられることを特徴とする、請求項１に記載の脚部用マッサージ器が提供される。
【００１７】
請求項５に係る発明によれば、少なくとも１つの当該ガイドレールの入口端と出口端上には、リミットスイッチが設けられることにより、前記リミットスイッチの感応を利用して前記モーターを反転するように制御することを特徴とする、請求項１に記載の脚部用マッサージ器が提供される。
【００１８】
請求項６に係る発明によれば、同一側の前記２つの巻回紐は、予め回転環に連結されてから、前記回転環を利用して前記動力軸の当該結合段上に嵌通されることを特徴とする、請求項１に記載の脚部用マッサージ器が提供される。
【００１９】
請求項７に係る発明によれば、当該マッサージ部材上に複数のマッサージ突起が広く分布されることを特徴とする、請求項１に記載の脚部用マッサージ器が提供される。
【００２０】
請求項８に係る発明によれば、当該マッサージ部材を特定の角度傾斜を付けさせて前記動力軸の
当該結合段上に固設することを特徴とする、請求項１に記載の脚部用マッサージ器が提供される。
【００２１】
請求項９に係る発明によれば、前記駆動器は、減速機と、電動機とから構成されることを特徴とする、請求項１に記載の脚部用マッサージ器が提供される。
【００２２】
請求項１０に係る発明によれば、前記２つのマッサージ部材の間に十字交差する前記マッサージブロックが挟設されることを特徴とする、請求項１に記載の脚部用マッサージ器が提供される。
【００２３】
かかる脚部用マッサージ器は、本体と、マッサージモジュールと、駆動装置とを備え、本体は、互いに連結された１つの底板と、２つの側板と、１つの背板とを有し、当該底板と、当該側板と、当該背板の囲繞により、本体の内部に収容空間が形成され、かつ前記収容空間の上方と前方は、それぞれ開口を利用して外向きに貫通しており、２つの側板の内面にそれぞれガイドレールが設けられ、及び前記２つのガイドレールの入口端と出口端箇所にいずれもプーリーが枢支され、また収容空間の中央に、底板と背板との間に連接され、かつ運行通路を有する凸座が設けられ、前記凸座の設置により、収容空間を左、右両部分に区画し、底板の上方には、凸座の両側にそれぞれ足踏部が設けられ、及び前記２つの足踏部の中央にいずれも退避通路が開設される。
【００２４】
マッサージモジュールは、駆動器を有し、前記駆動器は、凸座の運行通路中に配置嵌合され、駆動器の動力軸は、それぞれ１つの結合段で凸座の両側に向けて延出し、延出した前記２つの結合段上にいずれも相対する碗状の２つのマッサージ部材が固設され、２つのマッサージ部材の間にマッサージブロックが挟設され、結合段の側端にいずれも回転リングが結合され、回転リングが本体のガイドレールに符合することにより、駆動装置の運転に合わせて動力軸に対して牽引が生じ、マッサージモジュールは、ガイドレールにより画定された範囲内に往復運行される。
【００２５】
駆動装置は、凸座内に取り付けられたモーターを有し、前記モーターが伝動軸に連結されることで、モーターの動力を伝動軸に対して伝達して、伝動軸は凸座の両側から延出し、これにより、凸座の両側から延出した伝動軸の側端にそれぞれ２つの巻回リングが固設され、また前記２つの巻回リングを逆方向設置し、２つの巻回リング上の巻回紐がそれぞれ同一側の上、下２つのプーリーに繞設されてから、ガイドレールの入口端と出口端からガイドレールの内部に通され、２つの巻回紐が共同にガイドレール内に延在する結合段の側端に嵌通され、これにより、巻回紐の締め緩め操作の間で、マッサージモジュールを確実に連動して運行することができる。
【発明の効果】
【００２６】
本発明は前記の通り通りの構成からなり、後述するように、マッサージモジュールのスリップを防止することができ、動力を確実に伝達することができる。また、両脚部の各部位にわたり、マッサージを十分行うことができる。さらに、脚部に生じるマッサージできない死角も解消することができる。
【図面の簡単な説明】
【００２７】
【図１】本発明の一実施形態に係る脚部用マッサージ器の斜視図である。
【図２】本発明の一実施形態に係る脚部用マッサージ器の分解斜視図である。
【図３】本発明の一実施形態に係る脚部用マッサージ器のッサージモジュールの細部分解図である。
【図４】本発明の一実施形態に係る脚部用マッサージ器の断面図である。
【図５】本発明の一実施形態に係る脚部用マッサージ器の別の角度の断面図である。
【図６】本発明の一実施形態に係る脚部用マッサージ器の使用状態図である。
【図７】本発明の一実施形態に係る脚部用マッサージ器のマッサージモジュールの下向きの運行状態を示す図である。
【図８】本発明の一実施形態に係る脚部用マッサージ器を用いて下腿部をマッサージする使用状態を示す図である。
【図９】本発明の一実施形態に係る脚部用マッサージ器のマッサージモジュールの上向きの運行状態を示す図である。
【図１０】本発明の一実施形態に係る脚部用マッサージ器を用いて上腿部をマッサージする使用状態を示す図である。
【図１１】従来構造の脚部用マッサージ器の斜視組合図である。
【図１２】従来構造の脚部用マッサージ器の分解斜視図である。
【発明を実施するための形態】
【００２８】
図１〜図５に示すように、本発明に係るマッサージ器は、本体１０と、マッサージモジュール２０と、駆動装置３０とを備えたものである。本体１０は、互いに連結された１つの底板１１と、２つの側板１２と、１つの背板１３とを有し、当該底板１１と、当該側板１２と、当該背板１３の囲繞により、本体１０の内部に収容空間１４が形成され、かつ前記収容空間１４の上方と前方は、それぞれ開口を利用して外向きに貫通しており、２つの側板１２の内面にそれぞれガイドレール１５が設けられ、前記２つのガイドレール１５の入口端と出口端箇所にいずれもプーリー１６が枢支される。また、収容空間１４の中央に、底板１１と背板１３との間に連接され、かつ運行通路１７１を有する凸座１７が設けられる。前記凸座１７の設置により、収容空間１４を左、右両部分に区画し、底板１１の上方には、凸座１７の両側にそれぞれ足踏部１８が設けられ、前記２つの足踏部１８の中央にいずれも退避通路１８１が開設される。
【００２９】
マッサージモジュール２０は、減速機と、電動機とから構成される駆動機２１を有し、前記駆動機２１は、凸座１７の運行通路１７１内に配置嵌合され、駆動機２１の動力軸２２は、それぞれ１つの結合段２２１で凸座１７の両側に向けて延出し、延出した前記２つの結合段２２１上にいずれも相対する碗状の２つのマッサージ部材２３が固設され、２つのマッサージ部材２３の間に十字交差するマッサージブロック２４が挟設され、結合段２２１の側端にいずれも回転リング２５が結合され、回転リング２５が本体１０のガイドレール１５に符合することにより、駆動装置３０の運転に合わせて動力軸２２に対して牽引が生じ、マッサージモジュール２０は、ガイドレール１５により画定された範囲内に往復運行する。
【００３０】
駆動装置３０は、本体１０の凸座１７内に取り付けられたモーター３１を有する。前記モーター３１が伝動軸３２に連結されることで、モーター３１の動力を伝動軸３２に対して伝達して、伝動軸３２は凸座１７の両側から延出する。これにより、凸座１７の両側から延出した伝動軸３２の側端にそれぞれ２つの巻回リング３３が固設され、また２つの巻回リング３３を逆方向設置し、２つの巻回リング３３上の巻回紐３３１がそれぞれ同一側の上、下２つのプーリー１６に繞設されてから、ガイドレール１５の入口端と出口端からガイドレール１５の内部に通され、２つの巻回紐３３１が共同にガイドレール１５内に延在する動力軸２２の結合段２２１の側端に嵌通され、これにより、巻回紐３３１の締緩操作の間で、マッサージモジュール２０を確実に連動して運行することができる。
【００３１】
本発明の脚部用マッサージ器において、本体１０の底板１１上に内部に軸受が嵌着された２つの軸受座１９が設けられ、前記２つの軸受座１９は、それぞれ２つの側板１２と凸座１７との間に設けられることにより、凸座１７の外部まで延出する伝動軸３２は、予め前記２つの軸受座１９を通過してから、側端に巻回リング３３が固設される。
【００３２】
本発明の脚部用マッサージ器において、本体１０とマッサージモジュール２０の駆動器２１との間に弾性引紐２６が合わせて使用され、本体１０の運行通路１７１の下方に軸棒１７２が水平に設けられ、前記弾性引紐２６の一端が背板１３上の運行通路１７１に相対して適当な高さ箇所に固定され、他端が軸棒１７２を繞設してから、駆動器２１に連結される。前記弾性引紐２６の位置づけにより、マッサージモジュール２０の運行時、駆動器２１に対して位置制限、位置合わせの効果が生まれる。
【００３３】
本発明の脚部用マッサージ器において、本体１０の側板１２と、ガイドレール１５と、凸座１７とは、両脚の曲線に対応して後ろから前に向かって徐々に低くなる弧線状に設けられる。
【００３４】
本発明の脚部用マッサージ器において、少なくとも１つのガイドレール１５の入口端と出口端上には、リミットスイッチ４０が設けられることにより、リミットスイッチ４０の感応を利用してモーター３１を反転するように制御する。
【００３５】
本発明の脚部用マッサージ器において、同一側の２つの巻回紐３３１は、予め回転環３４に連結されてから、前記回転環３４を利用して動力軸２２の結合段２２１上に嵌通される。
【００３６】
本発明の脚部用マッサージ器において、マッサージ部材２３上に複数のマッサージ突起が広く分布される。
【００３７】
本発明の脚部用マッサージ器において、動力軸２２は、マッサージ部材２３の中央に水平に貫通固定される。
【００３８】
本発明の脚部用マッサージ器において、  マッサージ部材２３を特定の角度傾斜を付けさせて動力軸２２の結合段２２１上に固設する。
【００３９】
本発明の脚部用マッサージ器を実際使用する時には、図６に示すように、両脚を本体１０の上方の開口から収容空間１４内に伸ばし、両脚の下腿部と上腿部は、完全に本体１０によって被覆され、２つの足裏をそれぞれ２つの足踏部１８上に当接させ、伝動軸３２の連結を利用して、モーター３１の動力を伝達することができる。モーター３１の正、逆方向運転時、両側の２つの巻回リング３３は、それぞれ一方を締めたり、他方を緩めたりする形態を連動し、巻回紐３３１を介してマッサージモジュール２０の動力軸２２に対して牽引が生じ、マッサージモジュール２０は前記巻回紐３３１によって引っ張られ、これにより、ガイドレール１５により画定された範囲内に確実に往復運行する。また、図７及び図８に示すように、マッサージモジュール２０が下向きの運行をする時、駆動機２１により動力軸２２を介してマッサージ部材２３を回転させるように連動させ、これにより、マッサージ部材２３が下腿部に対して押圧揉みすることができるほかに、さらに退避通路１８１の位置づけを利用して、マッサージブロック２４の移行が提供され、足底と足裏に対して同期マッサージすることで、前記設計によれば、本発明の脚部用マッサージ器は、使用上、さらに全面的になることにより、両脚に生じるマッサージできない死角を回避することができる。一方、図９及び図１０に示すように、マッサージモジュール２０が上向きの運行をする時、回動されたマッサージ部材２３を利用して上腿部に対して押圧揉みすることができる。同一側の２つのマッサージ部材２３は、碗状の形態で位置づけを行うので、２つのマッサージ部材２３の各段の高さ箇所にいずれも異なる隙間間隔が生じ、異なる隙間間隔により、両脚の各部位の粗細変化に対応できるようにし、マッサージ部材２３が上腿部または下腿部に丁度密着し、これにより、マッサージ部材２３の過度な緊締により、使用者に痛みを与えるか、または２つのマッサージ部材２３の緊締力不足になってしまい、マッサージの快適度と効果が半減するおそれを回避することができる。
【産業上の利用可能性】
【００４０】
上述した脚部用マッサージ器によれば、以下の利点がある。
【００４１】
１．本発明に係る脚部用マッサージ器によれば、２つの巻回リング３３の逆方向設置を利用して、巻回紐３３１の一方が締めたり、他方が緩めたりする形態で、マッサージモジュール２０に対して引いたり離したりすることによってマッサージモジュール２０のスリップで停滞したままになっているのが防止され、動力を確実に伝達することができ、両脚部の各部位に対するマッサージを行うことができる。
【００４２】
２．本発明の脚部用マッサージ器によれば、上腿部、下腿部に対するマッサージを行うことができるほかに、さらに足底と足裏に対するリラクゼーション・マッサージを行え、それは使用上、さらに全面的になることにより、両脚に生じるマッサージできない死角を回避することができる。
【００４３】
３．本発明の脚部用マッサージ器によれば、駆動装置３０が独立した設計であることを利用して、マッサージモジュール２０がある位置まで運行した時、モーター３１の停止により、特定の部位のマッサージが達成され、その使用の機能性が優れ、これにより、使用者により多種類変化させたマッサージモードの選択が提供される。
【００４４】
４．本発明の脚部用マッサージ器によれば、マッサージ施療時、マッサージ部材２３が上腿部または下腿部に丁度密着し、これにより、マッサージ部材２３の過度な緊締により、使用者に痛みを与えるか、または２つのマッサージ部材２３の緊締力不足になってしまい、マッサージの快適度と効果が半減するおそれを回避することができる。
【符号の説明】
【００４５】
本発明
１０：本体
１１：底板
１２：側板
１３：背板
１４：収容空間
１５：ガイドレール
１６：プーリー
１７：凸座
１７１：運行通路
１７２：軸棒
１８：足踏部
１８１：退避通路
１９：軸受座
２０：マッサージモジュール
２１：駆動機
２２：動力軸
２２１：結合段
２３：マッサージ部材
２４：マッサージブロック
２５：回転リング
２６：弾性引紐
３０：駆動装置
３１：モーター
３２：伝動軸
３３：巻回リング
３３１：巻回紐
３４：回転環
４０：リミットスイッチ
従来技術
５０：位置制限枠
５１：開放部
５２：当止縁
５３：スライドレール
５４：軌条
５５：凸縁
５６：スライド溝
６０：マッサージモジュール
６１：駆動機
６１１：凸ブロック
６２：スピンドル
６３：マッサージ部品
６３１：スイングアーム
６３２：マッサージリング
６４：ローラー
６５：軸受
【図１】
2017012718.tif 000003
【図２】
2017012718.tif 000004
【図３】
2017012718.tif 000005
【図４】
2017012718.tif 000006
【図５】
2017012718.tif 000007
【図６】
2017012718.tif 000008
【図７】
2017012718.tif 000009
【図８】
2017012718.tif 000010
【図９】
2017012718.tif 000011
【図１０】
2017012718.tif 000012
【図１１】
2017012718.tif 000013
【図１２】
2017012718.tif 000014